(57)【特許請求の範囲】
【請求項１】
乳幼児を受け入れる座席部を有する本体と、
前記座席部の前方位置において幅方向に延びる前ガードと、
前記前ガードを外側から取り囲み、前記前ガードを覆う前ガード被覆部材とを備え、
前記前ガード被覆部材は、前記前ガードに連結される連結部と、前記連結部に接続され、使用状態において前記座席部の乳幼児に被せられるブランケットと、前記連結部に直接または間接的に接続され、前記前ガードを外側から取り囲んだ状態でその形態が維持される袋部とを有し、
不使用状態において折り畳まれた前記ブランケットは、前記袋部内に収容され、
前記ブランケットは、前記座席部の乳幼児の下半身を覆う下半身カバー材と、上半身を覆う上半身カバー材とを含み、
前記下半身カバー材の上方端部は、前記前ガードに連結され、
前記上半身カバー材の下方端部は、前記前ガードよりも下方の位置で前記下半身カバー材の裏面に連結されている、座席付き育児器具。
【請求項２】
前記袋部は、前記ブランケットの使用状態において、前記下半身カバー材の前記上方端部側の裏面と、前記上半身カバー材の前記下方端部側の表面との間に形成される領域に位置する、請求項１に記載の座席付き育児器具。
【請求項３】
前記袋部は、前記連結部に直接的に連結されており、前記連結部に近い起端部分と先端部分とに、互いに係合する留め具が設けられる、請求項１または２に記載の座席付き育児器具。
【請求項４】
前記下半身カバー材は、その裏面に、足を入れるための足入れ部を有する、請求項１〜３のいずれかに記載の座席付き育児器具。
【請求項５】
乳幼児を受け入れる座席部を有する本体と、前記座席部の前方位置において幅方向に延びる前ガードとを有する座席付き育児器具に用いられる前ガード被覆部材であって、
前記前ガードに連結される連結部と、
前記連結部に接続され、使用状態において前記座席部の乳幼児に被せられるブランケットと、
前記連結部に直接または間接的に接続され、前記前ガードを外側から取り囲んだ状態でその形態が維持される袋部とを有し、
前記袋部は、不使用状態において折り畳まれた前記ブランケットを収容し、
前記ブランケットは、前記座席部の乳幼児の下半身を覆う下半身カバー材と、上半身を覆う上半身カバー材とを含み、
前記下半身カバー材の上方端部は、前記前ガードに連結され、
前記上半身カバー材の下方端部は、前記前ガードよりも下方の位置で前記下半身カバー材の裏面に連結されている、前ガード被覆部材。
【発明の詳細な説明】
【技術分野】
【０００１】
この発明は、座席付き育児器具および前ガード被覆部材に関し、特に、前ガードを有する座席付き育児器具、および、このような育児器具に用いられる前ガード被覆部材に関する。
【背景技術】
【０００２】
乳母車の付属品として、乳母車に乗せた乳幼児を覆うためのブランケットなどが用いられ、このようなブランケットを乳母車本体に取り付けるようにしたものは、従来から提案されている。
【０００３】
たとえば、特開２００７−８１９９号公報（特許文献１）には、ベビーカーに取り付けることができるブランケットが開示されている。ブランケットを使用しないときには、フロントバーの下側に巻回した状態で吊り下げることが開示されている。
【先行技術文献】
【特許文献】
【０００４】
【特許文献１】特開２００７−８１９９号公報
【発明の概要】
【発明が解決しようとする課題】
【０００５】
上述のように、特許文献１は、ブランケットとして使用しないときは、前ガードの下側に巻回した状態で吊り下げるため、前ガードの下の空間を塞いでしまう。したがって、乳母車の座席上の乳幼児にとって不使用状態のブランケットが邪魔になる。さらに、乳母車の外観上、見栄えが悪い。
【０００６】
本発明は、上記のような課題を解決するためになされたものであって、その目的は、ブランケットを有しつつ、ブランケットが不使用状態のときでも、ブランケットの存在が乳母車の美観を損ねない座席付き育児器具、および、それを実現できる前ガード被覆部材を提供することを目的とする。
【課題を解決するための手段】
【０００７】
この目的のため本発明による座席付き育児器具は、乳幼児を受け入れる座席部を有する本体と、座席部の前方位置において幅方向に延びる前ガードと、前ガードを外側から取り囲み、前ガードを覆う前ガード被覆部材とを備え、前ガード被覆部材は、前ガードに連結される連結部と、連結部に接続され、使用状態において座席部の乳幼児に被せられるブランケットと、連結部に直接または間接的に接続され、前ガードを外側から取り囲んだ状態でその形態が維持される袋部とを有し、不使用状態において折り畳まれたブランケットは、袋部内に収容される。
【０００８】
好ましくは、ブランケットは、座席部の乳幼児の下半身を覆う下半身カバー材と、上半身を覆う上半身カバー材とを含む。
【０００９】
好ましくは、下半身カバー材の上方端部は、前ガードに連結され、上半身カバー材の下方端部は、前ガードよりも下方の位置で前記下半身カバー材の裏面に連結されており、袋部は、ブランケットの使用状態において、下半身カバー材の上方端部側の裏面と、上半身カバー材の下方端部側の表面との間に形成される領域に位置する。
【００１０】
袋部は、連結部に直接的に連結されており、連結部に近い起端部分と先端部分とに、互いに係合する留め具が設けられてもよい。
【００１１】
下半身カバー材は、その裏面に、足を入れるための足入れ部を有してもよい。
【００１２】
この目的のため本発明による前ガード被覆部材は、乳幼児を受け入れる座席部を有する本体と、座席部の前方位置において幅方向に延びる前ガードとを有する。前ガードに連結される連結部と、連結部に接続され、使用状態において座席部の乳幼児に被せられるブランケットと、連結部に直接または間接的に接続され、前ガードを外側から取り囲んだ状態でその形態が維持される袋部とを有し、袋部は、不使用状態において折り畳まれたブランケットを収容する。
【発明の効果】
【００１３】
本発明によれば、ブランケットを有しつつ、ブランケットが不使用状態のときでも、ブランケットの存在が乳母車の美観を損ねない座席付き育児器具、および、それを実現できる前ガード被覆部材を提供することを目的とする。
【図面の簡単な説明】
【００１４】
【図１】本発明の実施の形態に係る座席付き育児器具（乳母車）の前ガード被覆部材の被覆形態を示す斜視図である。
【図２】本発明の実施の形態に係る乳母車の前ガード被覆部材の展開形態を示す斜視図である。
【図３】図２のＩＩＩ−ＩＩＩ線に沿う前ガード被覆部材の断面図である。
【図４】前ガード被覆部材の展開図である。
【図５】本発明の実施の形態において、展開形態から被覆形態へ変位させる際の前ガード被覆部材の状態を概念的に示す遷移図である。
【発明を実施するための形態】
【００１５】
本発明の実施の形態について図面を参照しながら詳細に説明する。なお、図中同一または相当部分には同一符号を付してその説明は繰り返さない。
【００１６】
（乳母車の概要）
図１を参照して、本実施の形態に係る座席付き育児器具としての乳母車１の概要について説明する。乳母車１の説明において、前後方向は、乳母車の前後方向に対応し、左右方向は、乳母車の前方から見た左右方向に対応している。幅方向も、乳母車の前方から見た左右方向に対応している。
【００１７】
乳母車１の基本構造としては、一般的な乳母車の構造と同様であってよく、乳母車１は、本体２と、本体２を下方から支持する脚部３と、前ガード４と、押し棒６とを備える。脚部３は、前輪３１を有する一対の前脚３３と、後輪３２を有する一対の後脚３４とを有する。本体２は、乳幼児を受け入れる座席部２０を有している。座席部２０は、たとえば、座部２１と、背もたれ部２２と、背もたれ部２２の両端縁から立ち上がる一対の立ち上がり部２３とを有している。
【００１８】
前ガード４は、座席部２０の前方位置において幅方向に延び、座席部２０の左右両側に配置される一対の手摺部５に連結されている。前ガード４は、手摺部５に着脱自在に設けられるものであってもよい。
【００１９】
ここで、乳母車１には、前ガード４を外側から取り囲み、前ガード４を覆う前ガード被覆部材４０が備えられている。前ガード被覆部材４０は、前ガード４を巻回して前ガード４部分の横断面積を拡大する「被覆形態」と、乳幼児の胴体を覆うように展開される「展開形態」とに変更可能に前ガード４に取り付けられている。図１には、被覆形態にある前ガード被覆部材４０が示されている。図２，３には、展開形態にある前ガード被覆部材４０が示されている。以下に、前ガード被覆部材４０について、詳細に説明する。
【００２０】
（前ガード被覆部材について）
図４を参照して、前ガード被覆部材４０の構成について説明する。前ガード被覆部材４０の説明において、乳幼児の頭側（乳母車１の後方側）を上方、乳幼児の足側（乳母車１の前方側）を下方という。
【００２１】
前ガード被覆部材４０は、乳母車１の前ガード４に連結される連結部４１と、連結部４１に接続され、使用状態において座席部２０の乳幼児に被せられるブランケット４２と、連結部４１に直接的に接続される袋部４７とを有する。
【００２２】
連結部４１は、筒状に形成されており、その内側に前ガード４が挿通されている。連結部４１の幅寸法（長手方向の長さ）は、前ガード４の幅寸法とほぼ等しい。
【００２３】
ブランケット４２は、乳幼児の首元から足元までを覆うことができる大きさである。ブランケット４２は、布製の部材により構成されている。具体的には、防寒性、防風性または紫外線カット性に優れていることが望ましく、たとえば、二枚の布の間に羽毛を挟んだキルティング地の布部材が使用される。なお、ブランケット４２は、メッシュ、毛布、不織布などの他の繊維により形成されていてもよく、その材質は特に制約を受けるものではない。ブランケット４２は、下半身カバー材４３と、下半身カバー材４３に連結され、上半身を覆う上半身カバー材４４とを含む。
【００２４】
下半身カバー材４３は、略矩形形状で形成される。本実施の形態では、下半身カバー材４３の上方端部が連結部４１に接続されている。この場合、具体的には、下半身カバー材４３の上方端部裏面に、幅方向に長さを有する布部材の上端および下端が縫い付けられることによって、連結部４１が形成されてもよい。つまり、下半身カバー材４３の上方端部が、部分的に前ガード４に連結されてもよい。あるいは、図３に示されるように、下半身カバー材４３を構成する１枚の布部材の上端部が、前ガード４の通し穴を形成するように裏面側へ折り返され、その端縁が縫い付けられることによって、連結部４１が形成されてもよい。このように、下半身カバー材４３の上方端部全体が前ガード４に連結されていてもよい。
【００２５】
下半身カバー材４３の裏面には、袋状の足入れ部４５が設けられている。つまり、ブランケット４２は、フットマフである。足入れ部４５は、下方端部側に、図３に示すような足をすっぽりと入れることができるマチ部４５ａを有していることが望ましい。
【００２６】
上半身カバー材４４は、略矩形形状で形成される。上半身カバー材４４の下方端部が、下半身カバー材４３の裏面に連結されている。本実施の形態では、上半身カバー材４４の下方端部は、下半身カバー材４３の上端位置４３ａと足入れ部４５の上端位置（挿入口４５ｂの位置）との間の範囲内の位置に、連結されている。具体的には、上半身カバー材４４の下方端部は、足入れ部４５の挿入口４５ｂ近傍（下半身カバー材４３の上下方向中央部）に縫い付けられていることが望ましい。
【００２７】
袋部４７は、布製の部材により構成されており、袋部４７の幅寸法は、前ガード４の幅寸法以上である。袋部４７を乳母車１の後方側へ引き延ばした場合、袋部４７は、その下方端部が、連結部４１の裏側（後方側）に縫い付けられることによって、連結部４１に接続されている。袋部４７は、下方側の端縁部分を少し残して連結部４１と縫い付けられている。本実施の形態では、この連結部４１に近い端縁部分を起端部４７ｂという。
【００２８】
前ガード被覆部材４０が被覆形態にあるときは、ブランケット４２は袋部４７内に収納される。前ガード被覆部材４０が展開形態にあるときは、ブランケット４２は袋部４７から引き出される。すなわち、前ガード被覆部材４０の被覆形態は、ブランケット４２が不使用状態のときに対応し、前ガード被覆部材４０の展開形態は、ブランケット４２が使用状態のときに対応している。
【００２９】
袋部４７は、被覆形態において、内面４７１側にブランケット４２を収容し、前ガード４を外側から取り囲んだ状態でその形態を維持可能とするために、袋部４７の先端部４７ａと起端部４７ｂとには、それぞれ互いに係合する留め具として、たとえば、面ファスナ４９ａ，４９ｂが設けられている。本実施の形態では、袋部４７の外面４７２側に面ファスナ４９ａが設けられ、袋部４７の内面４７１側に面ファスナ４９ｂが設けられている。各面ファスナ４９ａ，４９ｂは、幅方向一端から他端まで延在している。本実施の形態では、さらに、面ファスナ４９ａの上に、たとえば３つの雄スナップ４８ａが設けられ、面ファスナ４９ｂの上には、雄スナップ４８ａにそれぞれ係合する、たとえば３つの雌スナップ４８ｂが設けられている。袋部４７の幅方向両端部には、伸縮可能となるようにゴムが縫い付けられていてもよい。
【００３０】
上述のように、前ガード被覆部材４０は、被覆形態と展開形態との間で変位可能である。それぞれの形態における前ガード被覆部材４０の状態について、具体的に説明する。
【００３１】
図１および図４を参照して、被覆形態における前ガード被覆部材４０について説明する。
【００３２】
被覆形態において、袋部４７の内面４７１側には、不使用状態のブランケット４２が収容されている。そのため、ブランケット４２を使用しない場合でも、ブランケット４２は、邪魔にならないし、紛失のおそれもない。また、この状態で上記した留め具が係合されているため、袋部４７は、前ガード４を外側から取り囲んだ状態でその形態が維持されている。そのため、前ガード被覆部材４０を含めて、ボリュームのあるしっかりとした前ガードとして機能させることができる。
【００３３】
図２〜図４を参照して、展開形態における前ガード被覆部材４０について説明する。
【００３４】
展開形態において、下半身カバー材４３は、前ガード４から、座席部２０の前端部下方まで垂れ下げられている。そのため、上半身カバー材４４の下方端部は、前ガード４よりも下方の位置で下半身カバー材４３の裏面に連結された状態となっている。これにより、下半身カバー材４３の上方端部側の裏面と、上半身カバー材４４の下方端部側の表面との間に形成される領域には、空間Ｓが形成される。展開形態においては、袋部４７の留め具は、非係合とされている。展開形態の袋部４７は、起端部４７ｂから折り返されて空間Ｓに向かって後方から差し込まれることで、当該領域に位置する。これにより、前ガード被覆部材４０のブランケット４２を座席部２０の乳幼児に被せるときでも、袋部４７は邪魔にならない。さらに、この構成により、上半身カバー材４４は、下方端部側においても、乳幼児と密着するため、防寒性に優れる。また、連結部４１は、その内側に前ガード４を通すことにより前ガード４に連結されているため、前ガード被覆部材４０が乳母車１からずれ落ちることはない。
【００３５】
次に、図５を参照して、前ガード被覆部材４０を展開形態から被覆形態へ変位させる際における、ブランケット４２の収納方法について説明する。
【００３６】
展開形態にある前ガード被覆部材４０を被覆形態に変位させる場合、まず、図５（Ａ）に示すように、上半身カバー材４４の上方端部側を、前ガード４の下を通って乳母車１の前方に移動させ、足入れ部４５の方へ近づける。図５（Ｂ）に示すように、上半身カバー材４４を足入れ部４５（下半身カバー材４３の下方側裏面）に重ね合わせ、下方から連結部４１近傍まで巻き上げる。さらに、図５（Ｃ）に示すように、巻き上げたブランケット４２（上半身カバー材４４と下半身カバー材４３）を袋部４７で外側から取り囲む。図５（Ｄ）に示すように、袋部４７の先端部４７ａに設けた面ファスナ４９ａと、起端部４７ｂに設けた面ファスナ４９ｂとを向かい合わせにし、先端部４７ａの雄スナップ４８ａと、起端部４７ｂの雌スナップ４８ｂとを連結する。これにより、図１のように、前ガード被覆部材４０は、乳母車１の前ガード４を外側から取り囲む、被覆形態となる。
【００３７】
なお、必ずしも、ブランケット４２をきれいに巻き上げる必要はなく、単に、袋部４７に収容できる程度に小さくに折りたたんで収納するだけでも、頑丈な前ガードとなる。
【００３８】
乳幼児が小さい場合は、動きが少なく前ガード４を掴むことがないため、しっかりした前ガードでなくてもよい。むしろ、しっかりした前ガードよりも、防寒具となりうるブランケットのほうが必要である。これに対し、乳幼児が一人で座ることができる程度に大きくなると、前ガードを掴んだり足をばたばたさせたりと乳母車１上での行動範囲が広くなり、ブランケットよりも、しっかりした前ガードが必要となる。本実施の形態の前ガード被覆部材４０は、乳幼児が小さいときは、適宜、乳幼児を覆うカバー部材（ブランケット）として使用し、大きくなってブランケットが不要になった場合には、前ガードとして使用することができるため、乳幼児の成長に合わせて用途を変更することも可能である。
【００３９】
図１に示すような被覆形態の前ガード被覆部材４０を、座席部２０の乳幼児に被せるには、上述した図５に示した順序と逆の順序で前ガード被覆部材４０の形態を変位させることができる。これにより、ブランケット４２を袋部４７から容易かつ迅速に引き出すことができるので、たとえば、急に寒くなった場合でも、すぐに座席部２０上の乳幼児にブランケット４２を被せることができる。
【００４０】
なお、上記実施形態の袋部４７は、連結部４１に直接的に接続されるとしたが、連結部４１と間接的に接続されてもよい。たとえば、ブランケット４２の足入れ部４５の下方端近傍に連結させてもよい。
【００４１】
上記実施の形態において、ブランケット４２は、下半身カバー材４３と上半身カバー材４４とを含むとしたが、下半身カバー材４３と上半身カバー材４４の一方だけを有していてもよい。
【００４２】
上記実施の形態では、連結部４１の幅寸法は、前ガード４の幅寸法と同等としたが、これに限定されず、ループ状の複数の連結部が下半身カバー材４３の上端部に接続されていてもよい。
【００４３】
上記実施の形態では、袋部４７の留め具として、スナップ４８ａ，４８ｂおよび面ファスナ４９ａ，４９ｂを併用したが、いずれか一方を用いてもよいし、留め具であればこれに限定されない。
【００４４】
また、下半身カバー材４３の上方端部が前ガード４に連結されているとしたが、上半身カバー材４４の下方端部が前ガード４に連結されていてもよい。この場合、下半身カバー材４３の上方端部が上半身カバー材４４の裏面のたとえば上下方向中央部に連結される。また、袋部４７は、展開形態において、上半身カバー材４４の下方端部側の裏面と、下半身カバー材４３の上方端部側の表面との間に形成される領域に配置されてもよい。つまり、少なくとも、下半身カバー材４３および上半身カバー材４４の一方側が連結部４１に連結され、下半身カバー材４３および上半身カバー材４４の他方側が、一方側の裏面に連結されていればよい。
【００４５】
あるいは、下半身カバー材４３と上半身カバー材４４とは、互いに連結されることとしたが、下半身カバー材４３と上半身カバー材４４のいずれもが連結部４１に連結されてもよい。
【００４６】
上記実施の形態では、前ガード被覆部材４０は、前ガード４に固定的に連結されるものとしたが、前ガード４が手摺部５に対して着脱可能な場合、前ガード被覆部材４０は、前ガード４に対し、着脱可能に連結されてもよい。つまり、連結部４１の側方から前ガード４を引き抜いたり、通したりできてもよい。この場合、前ガード被覆部材４０を単体として提供してもよい。また、この場合、取り外された前ガード被覆部材４０を単体でカバー部材（ブランケット）として使用してもよい。その場合、ブランケット４２の上半身カバー材４４の上方端部に、子守帯に前ガード被覆部材４０を取り付けるための取り付け具を設けてもよい。
【００４７】
上記実施の形態では、袋部４７に収容されるカバー部材は、ブランケット４２であることとしたが、限定的ではない。たとえば、虫除けカバーや日除けネット等であってもよい。
【００４８】
上記実施の形態では、座席付き育児器具として、乳母車を例に説明したが、前ガードを有する育児器具であれば、これに限定されず、ベビーラック、育児椅子、チャイルドシート等であってもよい。
【００４９】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【符号の説明】
【００５０】
１  乳母車、２  本体、３  脚部、４  前ガード、５  手摺部、６  押し棒、２０  座席部、２１  座部、２２  背もたれ部、２３  立ち上がり部、３１  前輪、３２  後輪、３３  前脚、３４  後脚、４０  前ガード被覆部材、４１  連結部、４２  ブランケット、４３  下半身カバー材、４４  上半身カバー材、４５  足入れ部、４５ａ  マチ部、４５ｂ  挿入口、４７  袋部、４７ａ  先端部、４７ｂ  起端部、４８ａ  雄スナップ、４８ｂ  雌スナップ、４９ａ，４９ｂ  面ファスナ。
【図１】
0006445294.tif 000002
【図２】
0006445294.tif 000003
【図３】
0006445294.tif 000004
【図４】
0006445294.tif 000005
【図５】
0006445294.tif 000006